(57)【要約】【課題】車室内における容器の突出量を小さく保ち、小形の容器から大形の容器まで種々の大きさの容器に対応し安定して保持するとともに、容器の出入操作が行い易い容器ホルダ装置を提供する。【解決手段】容器ホルダ装置を容器が挿入される収容凹部と容器の上側部を支持する支持部材とから構成し、支持部材が上側位置と下側位置との間で変位するようにする。上側位置において支持部材の上端面は収容凹部と離間した位置に変位するため、大形の容器であっても上側部を支持することができる。また、下側位置において支持部材の上端面は収容凹部と近接するため、小形の容器であっても支持部材から上方に向けての容器の突出量は充分に保たれて容器の取り出し操作が容易に行われる。【選択図】図６
2005053448.tif 000002
【特許請求の範囲】
【請求項１】
車両の内装品に取付される容器ホルダ装置であって、
該内装品の表出面よりも下側に配置され容器が挿入される略筒状の収容凹部と、該容器が挿通される開口を持ち該収容凹部の上側に取付されるとともに該収容凹部に挿入された該容器の上側部を支持する支持部材とを持ち、
該支持部材は、その上端面が該収容凹部と離間する上側位置と、該上端面が該収容凹部と近接する下側位置と、の間で変位することを特徴とする容器ホルダ装置。
【請求項２】
前記支持部材の前記上端面は、前記上側位置において前記内装品の前記表出面と略面一となる請求項１に記載の容器ホルダ装置。
【請求項３】
前記支持部材は前記収容凹部に対して固定されている回動中心に枢支され、該回動中心を中心とした回動によって変位する請求項１に記載の容器ホルダ装置。
【請求項４】
さらに、２つの回動中心を持つサポート部材を備え、
前記支持部材のうち前記開口の周縁部が前記収容凹部方向に延び前記下側位置においてその下端部が前記収容凹部の上端部よりも下方に配置される側壁部を形成するとともに、
該サポート部材は、２つの該回動中心のうち一方である第１中心が該側壁部に枢支され他方である第２中心が前記収容凹部に枢支されて、前記支持部材が前記上側位置に変位する際には前記収容凹部の外方に突出し、前記支持部材が前記下側位置に変位する際には前記収容凹部の内部に突出するとともに前記収容凹部内部に挿入された前記容器の側面を支持する請求項１に記載の容器ホルダ装置。
【発明の詳細な説明】
【技術分野】
【０００１】
本発明は、自動車に配設され、飲料の入った缶やペットボトル、カップ等の容器を保持するための容器ホルダ装置に関する。
【背景技術】
【０００２】
飲料用の容器には種々の形状がある。近年、これら種々の形状の容器を安定して保持するために、容器の底面のみならず側面をも支持する容器ホルダ装置が開発されている（例えば、特許文献１、特許文献２）。
【０００３】
特許文献１の容器ホルダ装置は、アームレストの上方に支持腕を突出させ、容器の底面をアームレスト上面に設けられた凹状部上に載置するとともに、容器の側面のうち上側部を支持腕で支持することで、容器を保持するものである。
【０００４】
このような特許文献１の容器ホルダ装置において、支持腕の突出高さは調節可能となっている。このため、例えば大形の容器を保持する場合には支持腕の突出高さを大きくし、小形の容器を保持する場合には支持腕の突出高さを小さくすることで、種々の大きさの容器の上側部を支持腕によって支持することができる。
【０００５】
しかし、このような特許文献１の容器ホルダ装置は、支持腕がアームレスト上部に突出し、アームレスト上部で容器を保持する。このため、車室内における容器の突出量が大きくなって搭乗者の動作が制限され、搭乗者に窮屈な印象を与える場合がある。
【０００６】
また、容器ホルダ装置への容器の出入操作は主に座席に座った状態で行われるため、容器の出入操作はなるべく低い位置で行う方が操作し易い。しかし、特許文献１の容器ホルダ装置においては、支持腕がアームレスト上部に突出しているため、容器の出入操作の際には、容器をこの支持腕よりもさらに上方に移動させる必要があり、容器の出入操作が非常に行い難い問題もあった。
【０００７】
さらに、特許文献１の容器ホルダ装置において、容器は載置されただけであり容器の底部は特に支持されているわけではないため、特に大形の容器を保持する場合に、搭乗者の腕や荷物等が容器の底部に接触した場合には容器が転倒するおそれがあった。
【０００８】
特許文献２の容器ホルダ装置はコンソールボックス内に設けられたものであり、コンソールボックス内部に容器を保持するものである。また、この特許文献２の容器ホルダ装置は、コップ保持孔が穿設されたコップホルダー板を持つものであり、このコップホルダー板はコンソールボックスの下方から上方に変位可能に設けられている。
【０００９】
特許文献２のホルダに容器を保持する際には、このコップホルダー板をコンソールボックスの中間位置にまで変位させてコップホルダー板によって容器の上側部を支持する。
【００１０】
大形の容器を保持する場合には、容器の上側部がコップホルダー板上方に大きく突出し、コンソールボックスのリッドの閉動作を干渉する場合がある。この場合には、リッドは容器を容器ホルダ装置に保持している間中車室内に突出した状態となり、搭乗者の動作が著しく干渉される。また、大形の容器の上側部がリッドの閉動作を干渉しないようにコンソールボックスを深型に形成し大形の容器をより低い位置で保持する場合には、コップホルダー板とコンソールボックスの底面との距離が大きくなる。このため、容器ホルダ装置に小形の容器を保持する場合には、容器の上側部はコップホルダー板上方に突出しないか或いは僅かに突出するのみとなる。したがって、小形の容器を取り出す際にはコップホルダー板のコップ保持孔内部に手を挿入してコンソールボックス内の容器を掴んだ上で、コップ保持孔をとおして抜き出す必要があるため、容器の取り出し操作が非常に困難となる問題があった。
【特許文献１】実開平１−１４５８５２号公報
【特許文献２】実開平４−３７０２８号公報
【発明の開示】
【発明が解決しようとする課題】
【００１１】
本発明は上記事情に鑑みてなされたものであり、車室内における容器の突出量を小さく保ち、小形の容器から大形の容器まで種々の大きさの容器に対応し安定して保持するとともに、容器の出入操作が行い易い容器ホルダ装置を提供することを目的とする。
【課題を解決するための手段】
【００１２】
本発明の容器ホルダ装置は、車両の内装品に取付される容器ホルダ装置であって、内装品の表出面よりも下側に配置され容器が挿入される略筒状の収容凹部と、容器が挿通される開口を持ち収容凹部の上側に取付されるとともに収容凹部に挿入された容器の上側部を支持する支持部材と、を持ち、支持部材は、その上端面が収容凹部と離間する上側位置と、上端面が収容凹部と近接する下側位置と、の間で変位することを特徴とする。
【００１３】
上記支持部材の上記上端面は、上記上側位置において上記内装品の上記表出面と略面一となることが好ましい。
【００１４】
上記支持部材は上記収容凹部に対して固定されている回動中心に枢支され、該回動中心を中心とした回動によって変位するものとすることができる。
【００１５】
本発明の容器ホルダ装置は、さらに、２つの回動中心を持つサポート部材を備え、上記支持部材のうち上記開口の周縁部が上記収容凹部方向に延び上記下側位置においてその下端部が上記収容凹部の上端部よりも下方に配置される側壁部を形成するとともに、サポート部材は、２つの回動中心のうち一方である第１中心が側壁部に枢支され他方である第２中心が上記収容凹部に枢支されて、上記支持部材が上記上側位置に変位する際には上記収容凹部の外方に突出し、上記支持部材が上記下側位置に変位する際には上記収容凹部の内部に突出するとともに上記収容凹部内部に挿入された容器の側面を支持するものとすることができる。
【発明の効果】
【００１６】
本発明の容器ホルダ装置は、容器の側面のうち上側部を支持する支持部材が上側位置と下側位置との間で変位する。したがって、大形の容器を保持する場合には、支持部材を上側位置に変位させることで容器の上側部を支持部材によって確実に支持することができる。また、小形の容器を保持する場合には、支持部材を下側位置に変位させることで容器の上側部を支持部材によって確実に保持することができる。
【００１７】
そして、小形の容器を保持する場合に支持部材を下側位置に変位させることで、小形の容器であっても支持部材から上方に向けての容器の突出量は充分に保たれ、取り出し操作が容易に行われることとなる。
【００１８】
さらに、容器ホルダ装置のうち収容凹部は内装品の表出面よりも下側に配置されている。このため、容器は低い位置で保持されることとなり、内装品の表出面上方、すなわち車室内に突出する量が小さく保たれる。したがって、容器の出入操作が行いやすくなるとともに、搭乗者の動作が容器によって干渉されることが低減される。そして、容器の底部は収容凹部内に挿入されているため、搭乗者の腕や荷物が容器の底部に接触することはなく、容器が転倒するおそれはなくなる。従って容器はさらに安定して保持されることとなる。
【００１９】
これらのことにより、本発明の容器ホルダ装置は、車室内における容器の突出量を小さく保ち、小形の容器から大形の容器まで種々の大きさの容器に対応し安定して保持することができるとともに、容器の出入操作が容易におこなうことのできる容器ホルダ装置となる。
【発明を実施するための最良の形態】
【００２０】
本発明の容器ホルダ装置は、車両の内装品に取付される容器ホルダ装置である。車両の内装品としては、コンソールボックスやインストルメントパネル等、容器ホルダ装置を取付するための開口を設けることができ、かつ、表出面よりも下方側に、容器ホルダ装置のうち少なくとも収容凹部を配置するための空隙を形成できるものが挙げられる。
【００２１】
本発明の容器ホルダ装置は収容凹部と支持部材とをもつ。収容凹部は、略筒状の形状を持ち、その上面が開口するとともにその下面が閉口して容器の底部を保持できるようになっている。この収容凹部は、内装品の表出面よりも下方に形成された空隙内部に配置される。
【００２２】
支持部材は、容器が挿通される開口を持つとともに収容凹部の上側に変位可能に取付される。本発明の容器ホルダ装置に容器を保持する場合には、支持部材の開口内部に容器が挿通され、支持部材の開口よりも下側に配置されている収容凹部内部に容器の底部が挿入される。そして、少なくとも後述する上側位置において、支持部材が容器の上側部を支持することとなる。
【００２３】
本発明の容器ホルダ装置において、支持部材は、上側位置と下側位置との間で変位するように取付される。
【００２４】
上側位置は支持部材の上端面が収容凹部と離間する位置であり、支持部材が上側位置に変位すると、収容凹部の底面と支持部材の開口との距離が大きくなる。このため、大形の容器の底部が収容凹部内部に支持されるとともに上側部が支持部材によって支持されて、大形の容器であってもその大部分が容器ホルダ装置内部に保持されることとなる。したがって、容器の上側部が支持部材の上方、すなわち容器ホルダ装置の上方に大きく突出することが防止され、容器ホルダ装置に保持された容器による搭乗者の動作への干渉が軽減される。
【００２５】
また、収容凹部の底面と支持部材の開口との距離が大きくなるため、大形の容器を保持する場合にも容器の上側部を容器支持部によって支持することが可能となり、容器を安定して保持することが可能となる。
【００２６】
下側位置は、支持部材の上端面が収容凹部と近接する位置であり、支持部材が下側位置に変位すると、収容凹部の底面と支持部材の開口との距離が小さくなる。このため、下側位置においては支持部材が小形の容器の上端部よりも下側に配置されることとなり、小形の容器の上端部が支持部材上方、すなわち容器ホルダ装置の上方に所定量突出する。したがって、小形の容器を取り出す際には、容器のうち容器ホルダ装置の上方に突出した部分を手で掴んで抜き出すのみで済み、容器の取り出し操作は非常に容易に行われることとなる。
【００２７】
なお、収容凹部および支持部材の形状や配置によっては、下側位置において支持部材の上端面が収容凹部の上端部よりも下方にまで変位する場合もある。この場合には下側位置においては容器は収容凹部のみによって支持される。しかしこのような場合においても、支持部材は少なくとも上側位置においては容器の上側部を支持することとなる。
【００２８】
また、本発明の容器ホルダ装置において、支持部材が上側位置と下側位置との間で変位することで、保持する容器の大きさや形状に応じて支持部材の上端面と収容凹部との距離を所望の大きさに調整することができる。したがって、種々の形状の容器について容器の上側部を容器支持部で支持するとともに、容器の上側部が容器ホルダ装置上方に突出する量を所望の量にすることができるため、小形の容器から大形の容器まで種々の形状の容器の保持を安定して行うことが可能となる。
【００２９】
支持部材は種々の変位装置を介して収容凹部に取付することもできるし、或いは、種々の変位機構を介して内装品に取付することもできる。ここで、変位機構としては、支持部材の変位の方向を所定方向に規制できる種々の既知のものが挙げられる。変位機構としては、回動軸と回動穴とからなる回動機構や、スライド溝とスライド突部とからなるスライド機構や、ラックとピニオンとからなるラックアンドピニオン機構等のものが好ましく用いられる。
【００３０】
例えば、変位機構として回動機構を用いる場合には、支持部材に回動穴を設け、収容凹部や内装品、あるいはその他の部材等に回動軸を設ける。回動軸を収容凹部に対して変位なきように固定するとともにこの回動軸に支持部材の回動穴を挿通して、支持部材を回動中心である回動軸を中心として回動可能となるように枢支する。この場合、支持部材が回動中心を中心とした回動により、収容凹部に対して変位するため、支持部材は上側位置と下側位置との間で変位することとなる。なお、回動中心を回動穴とし支持部材に回動軸を設ける場合にも同様に、支持部材は回動により変位する。
【００３１】
さらに、種々の既知のロック装置を支持部材に取付し、支持部材の変位を所望の位置にロックすることもできる。また、種々の既知の付勢手段を支持部材に取付し、支持部材の上側位置又は下側位置方向の変位を付勢することで、支持部材の変位操作を容易にすることもできる。
【００３２】
本発明の容器ホルダ装置において、支持部材の上端面は、上側位置において内装品の表出面と略面一となることが好ましい。支持部材の上端面が内装品の表出面と略面一になると、支持部材が内装品の一部であるかのように視認される。このため、容器ホルダ装置は特に非使用時の意匠性に優れるものとなる。
【００３３】
本発明の容器ホルダ装置において、支持部材のうち開口の周縁部が収容凹部方向に延びる側壁部を形成することが好ましい。支持部材は容器が挿通され、少なくとも上側位置に変位した状態で容器の上側部を支持可能であれば良く、例えば単に穴状に形成された開口を持つ平板状や湾曲板状の形状のものとすることもできる。しかし、開口の周縁部によって側壁部を形成することで、支持部材と容器の上側部との接触面積を大きく設けることができ、容器の保持をより安定に行うことが可能となる。
【００３４】
この側壁部は、収容凹部の上端部よりも大径のものとすることもできるし、収容凹部の上端部よりも小径のものとすることもできる。側壁部を収容凹部の上端部よりも大径に形成する場合には、支持部材が下側位置に変位した際に収容凹部が側壁部の内側に挿入される。また、側壁部を収容凹部の上端部よりも小径に形成する場合には、支持部材が下側位置に変位した際に側壁部が収容凹部の内部に挿入される。
【００３５】
側壁部を収容凹部の上端部よりも大径に形成する場合は、同じ大きさの収容凹部を用い側壁部を収容凹部の上端部よりも小径に形成する場合と比べて、上側位置において保持可能な容器の大きさがより大きなものとなる。
【００３６】
また、側壁部を収容凹部の上端部よりも小径に形成する場合には、容器ホルダ装置の外部より収容凹部の上端部が視認されなくなるため、容器ホルダ装置は意匠性に優れたものとなる。
【００３７】
本発明の容器ホルダ装置は、さらに、２つの回動中心を持つサポート部材を備えるものとし、上述した側壁部の下端部が下側位置において収容凹部の上端部よりも下方に配置されるようにするとともに、サポート部材の２つの回動中心のうち一方である第１中心を側壁部に枢支させ、２つの回動中心のうち他方である第２中心を収容凹部に枢支させることもできる。このときサポート部材は、支持部材が上側位置に変位する際には収容凹部の外方に突出し、支持部材が下側位置に変位する際には収容凹部の内部に突出するとともに収容凹部内部に挿入された容器の側面を支持するものとする。
【００３８】
ここで、支持部材が下側位置に変位し容器ホルダ装置に小形の容器を保持する際に、支持部材や収容凹部の形状によっては収容凹部の側壁面や支持部材の開口周縁部と容器の側面との間に大きな隙間が生じる。このため、容器の側面が容器ホルダ装置によって支持されない場合がある。しかし、この構成によると支持部材が下側位置に変位する際、すなわち小形の容器を保持する際にはサポート部材が収容凹部の内部に突出し容器の側面を支持するため、小形の容器の保持が安定して行われることとなる。また、このサポート部材は支持部材が上側位置に変位する際、すなわち大形の容器を保持する際には、収容凹部の外方に突出する。したがって、サポート部材が大形の容器の保持を干渉することはなく、小形から大形まで種々の形状の容器を安定して保持することが可能となる。
【００３９】
このサポート部材は２つの回動中心を持ち上述したように支持部材が下側位置に変位する際に収容凹部の内部に突出するとともに支持部材が上側位置に変位する際に収容凹部の外方に突出するものであればよく、その材質は問わないが、ゴム等の弾性材料で形成されたものが好ましく用いられる。容器の側面に弾接し容器を挟持することが可能となるからである。また、サポート部材の形状は例えば中空のリング状等弾性変形しやすい形状であることが望ましい。上述と同様に容器の側面に弾接するとともに、収容凹部の内部に突出しつつ弾性変形することで、より多様な形状の容器に対応しその側面を支持することが可能となるからである。
【実施例】
【００４０】
以下、本発明の容器ホルダ装置を図面を基にして説明する。
【００４１】
（実施例１）
本発明の実施例１の容器ホルダ装置は、内装品であるコンソールボックスに取付されるものである。本実施例１の容器ホルダ装置の模式断面図を図１〜図２に示す。
【００４２】
内装品であるコンソールボックス１は中空の箱状に形成されており、このコンソールボックス１の上面における表出面２には、略四角形状の開口３が形成されている。開口３はコンソールボックス１内部の中空部５と連通しており、開口周縁部６のうち対向する２箇所には中空部５方向に延びる位置決めリブ７が形成されている。本実施例１の容器ホルダ装置８は、開口３より中空部５に挿入されてコンソールボックス１に取付される。
【００４３】
本実施例１の容器ホルダ装置８は２つの収容凹部１０をもつ。各々の収容凹部１０は、上側が下側よりも大径となった略筒状に形成され、その上面が開口するとともにその下面が閉口している。また、２つの収容凹部１０は上面側で一体化され、コンソールボックス１の底面１１に載置され固定されている。
【００４４】
支持部材１２は、円状の開口１３を持つ略四角形の平板形状に形成されている。開口１３の周縁部は下方に延びる側壁部１５を形成している。この側壁部１５は収容凹部１０の上端部よりも小形の略筒状に形成されている。さらに、側壁部１５の下部は上部よりも小形となっている。支持部材１２の対向する２側面には、図示しないスライド突部が設けられている。このスライド突部は、コンソールボックス１の側壁に設けられている図示しないスライド溝とスライド嵌合するようになっており、このスライド嵌合により、支持部材１２は収容凹部１０の上側に収容凹部１０に対して変位可能に取付される。
【００４５】
さらに、支持部材１２のうちスライド突部が設けられている２面と隣接する２面には、コンソールボックス１の位置決めリブ７と略平行に延び上側位置において位置決めリブ７の突出端１６と係止する係止壁１７が設けられている。この係止壁１７が上側位置において位置決めリブ７の突出端１６と係止することで、後述するように支持部材１２が上側位置に変位する際に支持部材１２の位置決めが行われる。本実施例１の容器ホルダ装置８による容器の保持は以下のように行われる。以下、容器ホルダ装置８の状態であって支持部材１２が上側位置に配置された状態を、容器ホルダ装置８が上側状態であると略し、支持部材１２が下側位置に配置された状態を、容器ホルダ装置８が下側状態であると略す。
【００４６】
（１）容器ホルダ装置を上側状態とする場合
２つの開口１３を手で掴み支持部材１２を上側に引き上げることで支持部材１２を図１に示す上側位置にスライドさせ変位させた。この変位によって支持部材１２はその上端面２０が収容凹部１０と離間する位置でありコンソールボックス１の表出面２と略面一となる位置に配置された。またこのとき、一定長さ引き上げた時点で位置決めリブ７の突出端１６と係止壁１７とが係止するため、支持部材１２が容器ホルダ装置８の上方に外れることはない。
【００４７】
支持部材１２が上側位置に変位した状態の容器ホルダ装置８に大形の容器１８を保持する場合には、支持部材１２によって容器１８の上側部が支持されるとともに、収容凹部１０によって容器１８の底部が支持される。このため、大径の容器１８であっても安定して保持することが可能となる。
【００４８】
また、収容凹部１０はコンソールボックス１の表出面２よりも下側に配置され容器１８の底部はコンソールボックス１の表出面２よりも低い位置で支持されることとなるため、容器１８の車室内への突出量は小さくなる。そして、容器１８の底部は収容凹部１０内に挿入されているため、搭乗者が容器ホルダ装置８に保持されている容器１８の底部に接触することはない。これらのことにより、容器１８はさらに安定して保持されることとなる。
【００４９】
（２）容器ホルダ装置を下側状態とする場合
支持部材１２の上端面２０を手動にて収容凹部１０方向に押圧し、支持部材１２を図２に示す下側位置にスライドさせ変位させた。この変位によって支持部材１２はその上端面２０が収容凹部１０と近接する位置に配置された。
【００５０】
支持部材１２が下側位置に変位した状態の容器ホルダ装置８に小形の容器２１を保持する場合には、容器２１の底部２２が収容凹部１０内部に支持される。このとき支持部材１２はその上端面２０が収容凹部１０と近接する位置に配置されていることから、丈の低い小型の容器２１を保持する場合にも、容器２１の支持部材１２上方への突出量は充分に保たれる。したがって、容器２１のうち支持部材１２上方に突出した部分を手で掴んで容器ホルダ装置８の上方に引き抜くのみで容器２１の取り出しをおこなうことができ、容器２１の取り出し操作は非常に容易になる。
【００５１】
なお、支持部材１２の上端面２０は上側位置において内装品の表出面２と略同一になっているため、容器ホルダ装置８の非使用時には支持部材１２を上側位置に変位させておけば、容器ホルダ装置８はコンソールボックス１の一部であるかのように視認され、意匠性が向上する。
【００５２】
（実施例２）
本発明の実施例２の容器ホルダ装置は、内装品であるインストルメントパネルに取付されるものである。本実施例２の容器ホルダ装置の模式断面図を図３〜図４に示す。
【００５３】
内装品であるインストルメントパネル２３のうち、容器ホルダ装置２５を取付する部分はその上面が湾曲しつつ傾斜した形状となっている。またインストルメントパネル２３は背面が中空となっており、容器ホルダ装置２５はインストルメントパネル２３の上面に設けられた開口２６を通してこの中空内部に取付される。
【００５４】
本実施例２の容器ホルダ装置２５において、収容凹部２７は実施例１のものと略同一に形成されている。また、支持部材２８はインストルメントパネル２３の形状に対応し湾曲した形状となっている以外は実施例１のものと略同一である。
【００５５】
本実施例２の容器ホルダ装置２５は、１つの収容凹部２７に対して２つずつのサポート部材３０を備えている。このサポート部材３０は２つの回動中心を持つものであり、ゴムを材料とし一部が突出するとともに内部が中空となった略半円のリング状に形成されている。サポート部材３０のうち、突出した部分をはさんで両端側には穴が穿設されており、この穴が回動中心となる。回動中心のうち一方である第１中心３１には、側壁部３２の下端部３３側に形成された第１の回動軸（図示せず）が挿通される。また、回動中心のうち他方である第２中心３４には、収容凹部２７の側壁３６に設けられた第２の回動軸（図示せず）が挿通される。これによって第１中心３１は第１の回動軸を中心に回動可能に枢支され、第２中心３４は第２の回動軸を中心に回動可能に枢支される。
【００５６】
また、本実施例２の容器ホルダ装置２５においては、支持部材２８には、付勢部材（図示せず）と、ハートカム装置（図示せず）が取付されており、支持部材２８は付勢部材によって上側位置に付勢されるとともにハートカム装置によりプッシュロックオープンするようになっている。
【００５７】
（１）容器ホルダ装置を上側状態とする場合
支持部材２８が下側位置に配置されている場合、支持部材２８はハートカム装置によってロックされた状態となっているため、支持部材２８をさらに下方に押圧してロックを解除した。支持部材２８は付勢部材によって上側位置に付勢されていることから、上側位置方向にスライドしつつ変位して上側位置に配置された。
【００５８】
このとき、側壁部３２の下端部は収容凹部２７の上端部よりも上方に位置するため、サポート部材３０は第１中心３１を上側に第２中心３４を下側に向け、図３に示すように突出した部分を収容凹部２７外方に向けるように配置されている。したがって、収容凹部２７の内部に大形の容器を挿入し保持する場合にも、サポート部材３０が容器の保持に干渉することはない。
【００５９】
（２）容器ホルダ装置を下側状態とする場合
支持部材２８を手動で下方に押圧し支持部材２８を下側位置にまで変位させる。押圧により支持部材２８が下側位置にまでスライドし変位すると、支持部材２８はハートカム装置によりロックされた。このため、付勢部材によって上側位置方向に付勢されているにもかかわらず支持部材２８の下側位置への変位が保たれることとなる。
【００６０】
このとき、側壁部３２の下端部３３は収容凹部２７の内部に挿入され、側壁部３２の下端部３３は収容凹部２７の上端部３５よりも下方に位置するため、サポート部材３０は第１中心３１を下側に第２中心３４を上側に向けるように変位した。この変位の際には、突出した部分は収容凹部２７の側壁３６に設けられたスリット３７を通して収容凹部２７内部側に変位し、図４に示すように突出した部分を収容凹部２７内部に向けて配置された。
【００６１】
このため、小形の容器３８の側面４０は対向する２つのサポート部材３０同士で挟持された。なお、このサポート部材３０は弾性変形するものであるため、小形の容器３８がサポート部材３０同士の間隙よりも大径であるような場合にも、容器の形状に応じて変形しつつ挟持することが可能であり、種々の形状の容器に対応し安定して保持することが可能となる。
【００６２】
本実施例２の容器ホルダ装置２５によると、実施例１の容器ホルダ装置の効果に加えて、付勢部材によって支持部材２８の上側位置への変位が付勢されているとともに、ハートカム装置によって支持部材２８の下側位置への変位がロックされているため、支持部材２８の下側位置から上側位置までの変位がより容易におこなわれる。さらに、サポート部材３０により挟持されて小形の容器３８がより安定して保持される。
【００６３】
（実施例３）
本実施例３の容器ホルダ装置は、実施例２と同様にインストルメントパネルに取付されるものであり、支持部材が回動により変位するものである。本実施例３の容器ホルダ装置の模式断面図を図５〜図６に示す。
【００６４】
本実施例３の容器ホルダ装置４１は、支持部材４２の一端に回動穴４３が設けられ、この回動穴４３がインストルメントパネル４５に穿設された開口の周縁部４６に設けられた回動軸４７に挿通されて回動することと、実施例２のものと同様のサポート部材４８が、１つの収容凹部５０に対して１つ設けられていること以外は実施例２と同様に形成されているものである。さらに、支持部材４２のうち回動軸４７が設けられていない側の端部である操作端部５１には、実施例２のものと同様の付勢部材（図示せず）とハートカム装置（図示せず）が設けられている。
【００６５】
（１）容器ホルダ装置を上側状態とする場合
実施例２の場合と同様に、支持部材４２が下側位置に配置されている場合には支持部材４２の操作端部５１をさらに下方に押圧してロックを解除した。このとき、支持部材４２は付勢部材によって付勢され回動軸４７を中心に回動しつつ変位して上側位置に配置された。
【００６６】
このとき、図５に示すようにサポート部材４８は突出した部分を収容凹部５０外方に向けるように配置されており、サポート部材４８が大形の容器５２の保持に干渉することはない。
【００６７】
（２）容器ホルダ装置を下側状態とする場合
支持部材４２の操作端部５１を下方に押圧して支持部材４２を下側位置にまで回動させ変位させるとともに、支持部材４２をハートカム装置により下側位置にロックさせた。
【００６８】
このとき、図６に示すようにサポート部材４８は支持部材４２の変位に伴い変位し、突出した部分を収容凹部５０内部に向けて配置された。本実施例３の容器ホルダ装置４１においては、サポート部材４８は１つの収容凹部５０に対して１つ設けられているため、小形の容器５３を保持する場合には容器５３の側面５５はサポート部材４８とサポート部材４８に対向する位置の支持部材４２の側壁部５６とによって挟持され支持された。
【００６９】
本実施例３の容器ホルダ装置４１は、サポート部材４８と支持部材４２の側壁部５６とによって小形の容器５３の側面５５を支持するものであるが、実施例２の容器ホルダ装置と同等の効果が発揮される。
【００７０】
（実施例４）
本実施例４の容器ホルダ装置は、実施例３と同様にインストルメントパネルに取付されるものであり、支持部材が回動により変位するものである。本実施例４の容器ホルダ装置の模式断面図を図７〜図８に示す。
【００７１】
本実施例４の容器ホルダ装置５７は、実施例３のものと同様に回動軸５８に枢支された回動穴６０を回動中心として回動し変位するものである。本実施例４の容器ホルダ装置５７は、支持部材６１の側壁部６２を収容凹部６３の上端部６５よりも大径のものとしたこと以外は実施例３のものと同様に形成されている。
【００７２】
（１）容器ホルダ装置を上側状態とする場合
実施例３の場合と同様に、支持部材６１が下側位置に配置されている場合には支持部材６１の操作端部６６をさらに下方に押圧してロックを解除し、支持部材６１を回動変位させて上側位置に配置した。
【００７３】
本実施例４の容器ホルダ装置５７においては、側壁部６２は収容凹部６３の上端部６５よりも大径に形成され、後述する下側位置において側壁部６２は収容凹部６３の外側を囲うように配置された。このため、支持部材６１の開口は大きく設けることができ、同じ大きさの収容凹部６３を用い側壁部６２を収容凹部６３の上端部６５よりも小径に形成する場合と比べて、上側位置において保持可能な容器６７の大きさがより大きなものとなる。
【００７４】
（２）容器ホルダ装置を下側状態とする場合
実施例３の場合と同様に、支持部材６１の操作端部６６を下方に押圧して支持部材６１を下側位置にまで回動させ変位させるとともに、支持部材６１をハートカム装置により下側位置にロックさせた。
【００７５】
このとき、図８に示すように、側壁部６２は収容凹部６３の外側を囲うように配置され、収容凹部６３の上端部６５は側壁部６２の内側に挿入された状態となる。したがって、実施例３の場合と同様に支持部材６１の上端面６８は収容凹部６３と近接し、支持部材６１は下側位置に変位し、さらに、側壁部６２の下端部７０は収容凹部６３の上端部６５よりも下方に配置された。したがって、実施例３の場合と同様にサポート部材７１は収容凹部６３内部に突出した。この状態の容器ホルダ装置５７に小形の容器７２を保持する際には、小形の容器７２の側面７３はサポート部材７１とサポート部材７１に対向する位置の収容凹部６３の側壁面７５とによって挟持され支持される。
【００７６】
本実施例３の容器ホルダ装置５７によると、実施例２の容器ホルダ装置５７と同様の効果に加え、より大径の容器を保持することが可能となり、より種々の形状の容器に対応することが可能となる。
【図面の簡単な説明】
【００７７】
【図１】実施例１の容器ホルダ装置の上側位置における模式断面図である。
【図２】実施例１の容器ホルダ装置の下側位置における模式断面図である。
【図３】実施例２の容器ホルダ装置の上側位置における模式断面図である。
【図４】実施例２の容器ホルダ装置の下側位置における模式断面図である。
【図５】実施例３の容器ホルダ装置の上側位置における模式断面図である。
【図６】実施例３の容器ホルダ装置の下側位置における模式断面図である。
【図７】実施例４の容器ホルダ装置の上側位置における模式断面図である。
【図８】実施例４の容器ホルダ装置の下側位置における模式断面図である。
【符号の説明】
【００７８】
８：容器ホルダ装置  １０：収容凹部  １２：支持部材  １３：開口  １５：側壁部
２５：容器ホルダ装置  ２７：収容凹部  ２８：支持部材  ３０：サポート部材  ３２：側壁部  ３１：第１中心  ３４：第２中心  ３３：下端部  ３５：上端部
４１：容器ホルダ装置  ４２：支持部材  ４３：回動穴  ４８：サポート部材  ５０：収容凹部
５７：容器ホルダ装置  ６０：回動穴  ６１：支持部材  ６３：収容凹部  ６２：側壁部  ６５：上端部  ７１：サポート部材
【図１】
2005053448.tif 000003
【図２】
2005053448.tif 000004
【図３】
2005053448.tif 000005
【図４】
2005053448.tif 000006
【図５】
2005053448.tif 000007
【図６】
2005053448.tif 000008
【図７】
2005053448.tif 000009
【図８】
2005053448.tif 000010